(57)【要約】【課題】励起光が照射されて発する蛍光光の色味を所望の色味に調整することが可能な光源装置及び投影装置を提供する。【解決手段】蛍光板１０１は、励起光源からの励起光が入射される入射面を有し、励起光により励起されて所定波長帯域の蛍光光を発する蛍光体を有する正面側蛍光体層１０３と、正面側蛍光体層１０３が発する蛍光光と異なる波長帯域の蛍光光を発する背面側蛍光体層１０４と、正面側に正面側蛍光体層１０３が設けられ、背面側に背面側蛍光体層１０４が設けられ、励起光及び背面側蛍光体層１０４から発せられた蛍光光を透過し、正面側蛍光体層１０３から発せられた蛍光光を反射する正面側出射用ダイクロイックフィルタと、背面側蛍光体層１０４の背面側に設けられ、正面側に反射面が形成される基板１０９と、を有する。【選択図】  図４
2016062012.tif 000002
【特許請求の範囲】
【請求項１】
励起光源と、蛍光板と、を有し、
前記蛍光板は、
前記励起光源からの励起光により励起されて所定波長帯域の蛍光光が発せられる蛍光体を有する正面側蛍光体層と、
前記励起光源からの励起光により励起されて、前記正面側蛍光体層から発せられる蛍光光の波長帯域とは異なる波長帯域の蛍光光が発せられる蛍光体を有する背面側蛍光体層と、
前記正面側蛍光体層が正面側に設けられ、前記背面側蛍光体層が背面側に設けられ、前記励起光及び前記背面側蛍光体層から発せられた蛍光光を透過し、前記正面側蛍光体層から発せられた蛍光光を反射する正面側出射用ダイクロイックフィルタと、
前記背面側蛍光体層の背面側に設けられ、正面側に反射面が形成される基板と、
を有することを特徴とする光源装置。
【請求項２】
前記蛍光板は、蛍光ホイールであることを特徴とする請求項１に記載の光源装置。
【請求項３】
前記正面側蛍光体層は円弧状に形成され、
前記正面側出射用ダイクロイックフィルタは前記正面側蛍光体層と合わせた円弧状に形成され、
平面視して前記正面側出射用ダイクロイックフィルタと重ならない位置に円弧状に形成され、正面側に前記励起光が入射される入射面を有する背面側出射用ダイクロイックフィルタを有し、
前記背面側蛍光体層は、前記正面側出射用ダイクロイックフィルタの背面側及び前記背面側出射用ダイクロイックフィルタの背面側に渡って円環状に形成され、
前記基板は、前記背面側出射用ダイクロイックフィルタと合わせて円弧状に穿孔された透光孔部を有し、
前記背面側出射用ダイクロイックフィルタは、前記励起光を透過し、前記背面側蛍光体層から発せられた蛍光光を反射することを特徴とする請求項２に記載の光源装置。
【請求項４】
前記透光孔部には、該透光孔部を透過する光を拡散させる拡散板が設けられることを特徴とする請求項３に記載の光源装置。
【請求項５】
前記正面側蛍光体層は、緑色波長帯域の蛍光光を発する緑色蛍光体を有し、
前記背面側蛍光体層は、シアン色波長帯域の蛍光光を発するシアン色蛍光体を有することを特徴とする請求項１乃至請求項４に記載の光源装置。
【請求項６】
前記正面側蛍光体層は、シアン色波長帯域の蛍光光を発するシアン色蛍光体を有し、
前記背面側蛍光体層は、緑色波長帯域の蛍光光を発する緑色蛍光体を有することを特徴とする請求項１乃至請求項４に記載の光源装置。
【請求項７】
前記励起光源は、青色波長帯域光を発する青色レーザダイオードからなることを特徴とする請求項１乃至請求項６の何れか記載の光源装置。
【請求項８】
赤色波長帯域光を出射する赤色光源装置をさらに有することを特徴とする請求項７に記載の光源装置。
【請求項９】
請求項１乃至請求項８の何れか記載の光源装置と、
前記光源装置からの光源光が照射され、画像光を形成する表示素子と、
前記表示素子から出射された前記画像光をスクリーンに投影する投影側光学系と、
前記表示素子と、前記光源装置を制御する投影装置制御部と、
を有することを特徴とする投影装置。
【発明の詳細な説明】
【技術分野】
【０００１】
本発明は、光源装置と投影装置に関する。
【背景技術】
【０００２】
今日、パーソナルコンピュータの画面やビデオ画像、さらにメモリカード等に記憶されている画像データによる画像等をスクリーンに投影する画像投影装置としてのデータプロジェクタが多用されている。このプロジェクタは、光源から出射された光をＤＭＤ（デジタル・マイクロミラー・デバイス）と呼ばれるマイクロミラー表示素子、又は、液晶板に集光させ、スクリーン上にカラー画像を表示させるものである。
【０００３】
そして、この投影装置であるプロジェクタは、パーソナルコンピュータやＤＶＤプレーヤーなどの映像機器の普及に伴って、業務用プレゼンテーションから家庭用に至るまで、用途が拡大している。このようなプロジェクタにおいて、従来は高輝度の放電ランプを光源とするものが主流であったが、近年、光源として複数のレーザダイオード等の半導体発光素子を用いるとともに、この半導体発光素子を励起光源とする蛍光ホイールを備える投影装置が種々開発されている。
【０００４】
特許文献１に開示される投影装置は、赤色発光ダイオードからなる赤色光源装置と、青色レーザダイオードからなる励起光照射装置からの出射光が励起光として照射されて緑色波長帯域の蛍光光を発する蛍光体層及び励起光照射装置からの出射光を拡散透過させる拡散透過領域を有する蛍光ホイールを備える蛍光ホイール装置と、が配置されている。励起光照射装置は、出射光が蛍光ホイールの拡散透過領域を拡散透過されることにより、青色光源ともされている。
【先行技術文献】
【特許文献】
【０００５】
【特許文献１】特開２０１３−１９６９４６号公報
【発明の概要】
【発明が解決しようとする課題】
【０００６】
特許文献１における投影装置において、蛍光体層から発する緑色波長帯域の蛍光光は、蛍光体の特性によって蛍光光の波長帯域が決まってしまい、調整することができないという問題があった。
【０００７】
よって、本発明の目的は、励起光が照射されて発する蛍光光の色味を所望の色味に調整することが可能な光源装置及び投影装置を提供する。
【課題を解決するための手段】
【０００８】
本発明に係る光源装置は、励起光源と、蛍光板と、を有し、前記蛍光板は、前記励起光源からの励起光により励起されて所定波長帯域の蛍光光が発せられる蛍光体を有する正面側蛍光体層と、前記励起光源からの励起光により励起されて、前記正面側蛍光体層から発せられる蛍光光の波長帯域とは異なる波長帯域の蛍光光が発せられる蛍光体を有する背面側蛍光体層と、前記正面側蛍光体層が正面側に設けられ、前記背面側蛍光体層が背面側に設けられ、前記励起光及び前記背面側蛍光体層から発せられた蛍光光を透過し、前記正面側蛍光体層から発せられた蛍光光を反射する正面側出射用ダイクロイックフィルタと、前記背面側蛍光体層の背面側に設けられ、正面側に反射面が形成される基板と、を有することを特徴とする。
【０００９】
本発明に係る投影装置は、本発明に係る上述の光源装置と、前記光源装置からの光源光が照射され、画像光を形成する表示素子と、前記表示素子から出射された前記画像光をスクリーンに投影する投影側光学系と、前記表示素子と、前記光源装置を制御する投影装置制御部と、を有することを特徴とする。
【発明の効果】
【００１０】
本発明によれば、励起光が照射されて発する蛍光光の色味を所望の色味に調整することが可能な光源装置及び投影装置を提供することができる。
【図面の簡単な説明】
【００１１】
【図１】本発明の第１の実施形態に係る投影装置を示す外観斜視図である。
【図２】本発明の第１の実施形態に係る投影装置の機能ブロックを示す図である。
【図３】本発明の第１の実施形態に係る投影装置の内部構造を示す平面模式図である。
【図４】本発明の第１の実施形態に係る蛍光板を模式的に示す図であり、（ａ）は正面を示す図であり、（ｂ）は断面を示す図である。
【図５】本発明の第１の実施形態に係る蛍光板を示す分解斜視図である。
【図６】本発明の第１の実施形態に係るダイクロイックフィルタを背面側から見た斜視図である。
【図７】本発明の第１の実施形態に係る正面側出射用ダイクロイックフィルタの透過スペクトルと、青色波長帯域光、シアン色波長帯域光及び緑色波長帯域光の光分布スペクトルを示す図である。
【図８】本発明の第１の実施形態に係る背面側出射用ダイクロイックフィルタの透過スペクトルと、青色波長帯域光及びシアン色波長帯域光の光分布スペクトルを示す図である。
【図９】本発明の第１の実施形態に係る蛍光板から光が出射される様子を模式的に示す図であり、（ａ）は正面側に出射される様子を示す要部拡大断面を示す図であり、（ｂ）は背面側に出射される様子を示す要部拡大断面を示す図である。
【図１０】本発明の第２の実施形態に係る蛍光板の分解斜視図である。
【図１１】本発明の第２の実施形態に係る正面側出射用ダイクロイックフィルタの透過スペクトルと、青色波長帯域光及びシアン色波長帯域光及び緑色波長帯域光の光分布スペクトルを示す図である。
【図１２】本発明の第２の実施形態に係る蛍光板から正面側に光が出射される様子を模式的に示す要部拡大断面図である。
【図１３】本発明の第３の実施形態に係る投影装置の内部構造を示す平面模式図である。
【図１４】本発明の第３の実施形態に係る蛍光板を模式的に示す図であり、（ａ）は断面図であり、（ｂ）は光が出射される様子を示す図である。
【発明を実施するための形態】
【００１２】
（第１の実施形態）
以下、本発明の第１の実施形態について図１〜図９を用いて説明する。図１は、投影装置１０の外観斜視図である。なお、本実施形態において、投影装置１０における左右とは投影方向に対しての左右方向を示し、前後とは投影装置１０のスクリーン側方向及び光線束の進行方向に対しての前後方向を示す。
【００１３】
そして、投影装置１０は、図１に示すように、略直方体形状であって、投影装置１０の筐体の前方の側板とされる正面パネル１２の側方に投影口を覆うレンズカバー１９を有するとともに、この正面パネル１２には複数の排気孔１７を設けている。さらに、図示しないがリモートコントローラからの制御信号を受信するＩｒ受信部を備えている。
【００１４】
また、筐体の上面パネル１１にはキー／インジケータ部３７が設けられ、このキー／インジケータ部３７には、電源スイッチキーや電源のオン又はオフを報知するパワーインジケータ、投影のオン、オフを切りかえる投影スイッチキー、光源装置や表示素子又は制御回路等が過熱したときに報知をする過熱インジケータ等のキーやインジケータが配置されている。
【００１５】
さらに、筐体の背面には、背面パネルにＵＳＢ端子やアナログＲＧＢ映像信号が入力される映像信号入力用のＤ−ＳＵＢ端子、Ｓ端子、ＲＣＡ端子、音声出力端子等を設ける入出力コネクタ部及び電源アダプタプラグ等の各種端子（群）２０が設けられている。また、背面パネルには、複数の吸気孔が形成されている。なお、図示しない筐体の側板である右側パネル、及び、図１に示した側板である左側パネル１５には、各々複数の排気孔１７が形成されている。また、左側パネル１５の背面パネル近傍の隅部や背面パネルには、吸気孔１８も形成されている。
【００１６】
次に、投影装置１０の投影装置制御部について図２の機能ブロック図を用いて述べる。投影装置制御部は、制御部３８、入出力インターフェース２２、画像変換部２３、表示エンコーダ２４、表示駆動部２６等から構成される。
【００１７】
この制御部３８は、投影装置１０内の各回路の動作制御を司るものであって、ＣＰＵ、各種セッティング等の動作プログラムを固定的に記憶したＲＯＭ及びワークメモリとして使用されるＲＡＭ等により構成されている。
【００１８】
そして、この投影装置制御部により、入出力コネクタ部２１から入力された各種規格の画像信号は、入出力インターフェース２２、システムバス（ＳＢ）を介して画像変換部２３で表示に適した所定のフォーマットの画像信号に統一するように変換されたあと、表示エンコーダ２４に出力される。
【００１９】
また、表示エンコーダ２４は、入力された画像信号をビデオＲＡＭ２５に展開記憶させた上でこのビデオＲＡＭ２５の記憶内容からビデオ信号を生成して表示駆動部２６に出力する。
【００２０】
表示駆動部２６は、表示素子制御部として機能するものであり、表示エンコーダ２４から出力された画像信号に対応して適宜フレームレートで空間的光変調素子（ＳＯＭ）である表示素子５１を駆動するものである。
【００２１】
そして、この投影装置１０は、光源装置６０から出射された光線束を、光源側光学系を介して表示素子５１に照射することにより、表示素子５１の反射光で光像を形成し、投影側光学系を介してスクリーンに画像を投影表示する。尚、この投影側光学系の可動レンズ群２３５は、レンズモータ４５によりズーム調整やフォーカス調整のための駆動が行われる。
【００２２】
また、画像圧縮／伸長部３１は、画像信号の輝度信号及び色差信号をＡＤＣＴ及びハフマン符号化等の処理によりデータ圧縮して着脱自在な記録媒体とされるメモリカード３２に順次書き込む記録処理を行う。
【００２３】
さらに、画像圧縮／伸長部３１は、再生モード時にメモリカード３２に記録された画像データを読み出し、一連の動画を構成する個々の画像データを１フレーム単位で伸長し、この画像データを、画像変換部２３を介して表示エンコーダ２４に出力し、メモリカード３２に記憶された画像データに基づいて動画等の表示を可能とする処理を行う。
【００２４】
そして、筐体の上面パネル１１に設けられるメインキー及びインジケータ等により構成されるキー／インジケータ部３７の操作信号は、直接に制御部３８に送出され、リモートコントローラからのキー操作信号は、Ｉｒ受信部３５で受信され、Ｉｒ処理部３６で復調されたコード信号が制御部３８に出力される。
【００２５】
なお、制御部３８にはシステムバス（ＳＢ）を介して音声処理部４７が接続されている。この音声処理部４７は、ＰＣＭ音源等の音源回路を備えており、投影モード及び再生モード時には音声データをアナログ化し、スピーカ４８を駆動して拡声放音させる。
【００２６】
また、制御部３８は、光源制御部としての光源制御回路４１を制御しており、この光源制御回路４１は、画像生成時に要求される所定波長帯域の光が光源装置６０から出射されるように、励起光源や赤色光源装置から所定のタイミングで赤色、緑色及び青色の波長帯域光を発光させる個別の制御を行う。
【００２７】
さらに、制御部３８は、冷却ファン駆動制御回路４３に光源装置６０等に設けた複数の温度センサによる温度検出を行わせ、この温度検出の結果から冷却ファンの回転速度を制御させている。また、制御部３８は、冷却ファン駆動制御回路４３にタイマー等により投影装置１０本体の電源オフ後も冷却ファンの回転を持続させる、あるいは、温度センサによる温度検出の結果によっては投影装置１０本体の電源をオフにする等の制御も行う。
【００２８】
次に、この投影装置１０の内部構造について図３に基づいて述べる。図３は、投影装置１０の内部構造を示す平面模式図である。投影装置１０は、右側パネル１４の近傍に制御回路基板２４１を備えている。この制御回路基板２４１は、電源回路ブロックや光源制御ブロック等を備えてなる。また、投影装置１０は、制御回路基板２４１の側方、つまり、投影装置１０筐体の略中央部分に光源装置６０を備えている。さらに、投影装置１０は、光源装置６０と左側パネル１５との間に、光源側光学系１７０や投影側光学系２２０が配置されている。
【００２９】
光源装置６０は、赤色波長帯域光の光源とされる赤色光源装置１２０と、緑色波長帯域光の光源とされる緑色光源装置８０と、青色波長帯域光の光源とされる青色光源装置であると共に励起光源ともされる励起光照射装置７０と、を備える。緑色光源装置８０は、励起光照射装置７０と、蛍光板装置１００とにより構成される。そして、光源装置６０には、緑色及び青色波長帯域光の光線束に赤色波長帯域光の光線束を合わせて各色波長帯域の光束を同一光路上に導光して同一方向に向かわせる導光光学系１４０が配置されている。
【００３０】
励起光照射装置７０は、投影装置１０筐体の左右方向における略中央部分に配置される。そして、励起光照射装置７０は、背面パネル１３と光軸が平行になるよう配置された複数の半導体発光素子からなる。本実施の形態においては、半導体発光素子は、青色波長帯域光を発する青色レーザダイオード７１とされ、４個の青色レーザダイオード７１が右側パネル１４と平行な横一列に配置されている。さらに、励起光照射装置７０は、各青色レーザダイオード７１からの出射光の光軸を正面パネル１２方向に９０度変換する反射ミラー群７５、反射ミラー群７５で反射した各青色レーザダイオード７１からの出射光を集光する集光レンズ７８、及び、青色レーザダイオード７１と右側パネル１４との間に配置されたヒートシンク８１等を備える。
【００３１】
また、各青色レーザダイオード７１からの光軸上には、各青色レーザダイオード７１からの各出射光の指向性を高めるように各々平行光に変換するコリメータレンズ７３が夫々配置されている。また、反射ミラー群７５は、複数の反射ミラーが階段状に配列されてミラー基板７６と一体化されて位置調整を行って生成され、各青色レーザダイオード７１から出射される各光線束の間隔を縮小して集光レンズ７８に出射する。
【００３２】
ヒートシンク８１と背面パネル１３との間には冷却ファン２６１が配置されており、この冷却ファン２６１とヒートシンク８１とによって青色レーザダイオード７１が冷却される。さらに、反射ミラー群７５と右側パネル１４及び正面パネル１２との間にも冷却ファン２６１が配置されており、この冷却ファン２６１によって反射ミラー群７５や集光レンズ７８が冷却される。
【００３３】
赤色光源装置１２０には、青色レーザダイオード７１と光軸が平行となるように配置された赤色光源１２１と、赤色光源１２１からの出射光を集光する集光レンズ群１２５と、が備えられる。この赤色光源１２１は、赤色波長帯域の光を発する半導体発光素子である赤色発光ダイオードである。そして、赤色光源装置１２０は、赤色光源装置１２０が出射する赤色波長帯域光の光軸が、蛍光板１０１から出射される緑色波長帯域光の光軸と交差するように配置されている。さらに、赤色光源装置１２０は、赤色光源１２１の右側パネル１４側に配置されるヒートシンク１３０を備える。そして、ヒートシンク１３０と正面パネル１２との間には冷却ファン２６１が配置されており、この冷却ファン２６１及びヒートシンク１３０によって赤色光源１２１が冷却される。
【００３４】
緑色光源装置８０を構成する蛍光板装置１００は、励起光照射装置７０からの出射光の光軸と直交するように配置された蛍光ホイールとされる蛍光板１０１と、この蛍光板１０１を回転駆動するモータ１１０と、励起光照射装置７０から出射される励起光の光線束を蛍光板１０１に集光する集光レンズ群１１７と、蛍光板１０１から正面パネル１２方向に出射される光線束を集光する集光レンズ１１５と、を備える。なお、モータ１１０と正面パネル１２との間には冷却ファン２６１が配置されており、この冷却ファン２６１によって蛍光板装置１００等が冷却される。なお、蛍光板１０１の構成については、詳細を後述する。
【００３５】
そして、導光光学系１４０は、第一ダイクロイックミラー１４１，集光レンズ１４９，第二ダイクロイックミラー１４８，第一反射ミラー１４３，集光レンズ１４６，第二反射ミラー１４５，集光レンズ１４７からなる。第一ダイクロイックミラー１４１は、励起光照射装置７０から出射される青色波長帯域光及び蛍光板１０１から出射される緑色波長帯域光と、赤色光源装置１２０から出射される赤色波長帯域光とが交差する位置に配置される。第一ダイクロイックミラー１４１は、青色及び赤色波長帯域光を透過し、緑色波長帯域光を反射して、この緑色波長帯域光の光軸を左側パネル１５方向に９０度変換する。
【００３６】
また、蛍光板１０１を透過した青色波長帯域光の光軸上、つまり、集光レンズ１１５と正面パネル１２との間には、青色波長帯域光を反射して、この青色光の光軸を左側パネル１５方向に９０度変換する第一反射ミラー１４３が配置されている。第一反射ミラー１４３における左側パネル１５側には、集光レンズ１４６が配置され、さらにこの集光レンズ１４６の左側パネル１５側には、第二反射ミラー１４５が配置されている。第二反射ミラー１４５の背面パネル１３側には、集光レンズ１４７が配置されている。第二反射ミラー１４５は、第一反射ミラー１４３により反射され、集光レンズ１４６を介して入射される青色波長帯域光の光軸を背面パネル１３側に９０度変換する。第二反射ミラー１４５により反射された青色波長帯域光は、集光レンズ１４７を介して第二ダイクロイックミラー１４８を透過して集光レンズ１７３により集光される。
【００３７】
また、第一ダイクロイックミラー１４１の左側パネル１５側には、集光レンズ１４９が配置されている。さらに、集光レンズ１４９の左側パネル１５側であって、集光レンズ１４７の背面パネル１３側には、第二ダイクロイックミラー１４８が配置されている。第二ダイクロイックミラー１４８は、赤色波長帯域光及び緑色波長帯域光を反射して背面パネル１３側に９０度光軸を変換し、青色波長帯域光を透過させる。第二ダイクロイックミラー１４８の背面パネル１３側には、集光レンズ１７３が配置されている。
【００３８】
第一ダイクロイックミラー１４１を透過した赤色波長帯域光の光軸は、第一ダイクロイックミラー１４１により反射された緑色波長帯域光の光軸と一致される。第一ダイクロイックミラー１４１を透過した赤色波長帯域光及び第一ダイクロイックミラー１４１により反射された緑色波長帯域光は、共に集光レンズ１４９に入射される。そして、集光レンズ１４９を透過した赤色及び緑色波長帯域光は、第二ダイクロイックミラー１４８により反射され、集光レンズ１７３により集光される。
【００３９】
このようにして、赤色、緑色、青色の各波長帯域光の光束は、導光光学系１４０により同一光路上に導光される。導光光学系１４０により導光された各色波長帯域光は、光源側光学系１７０の集光レンズ１７３により集光される。そして、各波長帯域の光束は、光源側光学系１７０のライトトンネル１７５の入射口に入射される。ライトトンネル１７５に入射される各色光束は、ライトトンネル１７５により均一な強度分布の光線束とされる。
【００４０】
光源側光学系１７０は、集光レンズ１７３，ライトトンネル１７５，集光レンズ１７８，光軸変換ミラー１８１，集光レンズ１８３，照射ミラー１８５，コンデンサレンズ１９５により構成されている。なお、コンデンサレンズ１９５は、コンデンサレンズ１９５の背面パネル１３側に配置される表示素子５１から出射された画像光を投影側光学系２２０に向けて出射するので、投影側光学系２２０の一部ともされている。
【００４１】
ライトトンネル１７５の背面パネル１３側の光軸上には、集光レンズ１７８を介して、光軸変換ミラー１８１が配置されている。ライトトンネル１７５の出射口から出射した光線束は、集光レンズ１７８で集光された後、光軸変換ミラー１８１により、左側パネル１５側に光軸を変換される。
【００４２】
光軸変換ミラー１８１で反射した光線束は、集光レンズ１８３により集光された後、照射ミラー１８５により、コンデンサレンズ１９５を介して表示素子５１に所定の角度で照射される。なお、ＤＭＤとされる表示素子５１は、背面パネル１３側にヒートシンク１９０が設けられ、このヒートシンク１９０により表示素子５１は冷却される。
【００４３】
光源側光学系１７０により表示素子５１の画像形成面に照射された光源光である光線束は、表示素子５１の画像形成面で反射され、投影光として投影側光学系２２０を介してスクリーンに投影される。ここで、投影側光学系２２０は、コンデンサレンズ１９５，可動レンズ群２３５，固定レンズ群２２５により構成されている。固定レンズ群２２５は、固定鏡筒に内蔵される。可動レンズ群２３５は、可動鏡筒に内蔵され、レンズモータで移動可能とされることにより、ズーム調整やフォーカス調整を可能としている。
【００４４】
このように投影装置１０を構成することで、蛍光板１０１を回転させるとともに励起光照射装置７０及び赤色光源装置１２０から異なるタイミングで光を出射すると、赤色、緑色及び青色の各波長帯域光が導光光学系１４０を介してライトトンネル１７５に入射され、さらに光源側光学系１７０を介して表示素子５１に入射されるため、投影装置１０の表示素子５１であるＤＭＤがデータに応じて各色の光を時分割表示することにより、スクリーンにカラー画像を投影することができる。
【００４５】
次に、図４〜図９に基づいて、蛍光板１０１について詳細に説明する。図４（ａ）は蛍光板１０１の正面図であり、（ｂ）は断面図である。蛍光板１０１は、円板状に形成され、モータ１１０により回転駆動されて照射スポットＳに励起光が照射される。モータ１１０の軸１１２には、円板状の基板１０９が固定されている。基板１０９は、銅やアルミニウム等からなる金属材料からなり、正面側（換言すれば、励起光照射装置７０側）の面にミラー加工が施され、反射面が形成されている。
【００４６】
図４及び図５に示すように、基板１０９の正面側には、正面側蛍光体層１０３と背面側蛍光体層１０４が敷設されたダイクロイックフィルタ１０５が設けられている。ダイクロイックフィルタ１０５は、円弧状に形成された正面側出射用ダイクロイックフィルタ１０６と、この正面側出射用ダイクロイックフィルタ１０６と連設される円弧状の背面側出射用ダイクロイックフィルタ１０７とにより形成されている。背面側出射用ダイクロイックフィルタ１０７は、平面視して正面側出射用ダイクロイックフィルタ１０６と重ならない位置に設けられている。背面側出射用ダイクロイックフィルタ１０７の正面側の面は、励起光が入射される入射面とされる。
【００４７】
正面側出射用ダイクロイックフィルタ１０６の正面側の面の周縁には、正面側蛍光体層１０３が敷設されている。この正面側蛍光体層１０３は、正面側出射用ダイクロイックフィルタ１０６と合わせられた円弧状に形成されている。正面側蛍光体層１０３は、緑色蛍光体の層により形成されている。正面側蛍光体層１０３は、励起光照射装置７０からの励起光が照射されることにより、緑色蛍光体が励起されて、図７の破線で示す緑色波長帯域の蛍光光ＧＦＬが発せられる。なお、正面側蛍光体層１０３の正面側の面は、励起光が入射される入射面とされる。
【００４８】
一方、図６に示すように、ダイクロイックフィルタ１０５の背面側の面の円周縁には、正面側出射用ダイクロイックフィルタ１０６及び背面側出射用ダイクロイックフィルタ１０７に渡って、円環状に背面側蛍光体層１０４が敷設されている。背面側蛍光体層１０４は、シアン色蛍光体の層により形成されている。背面側蛍光体層１０４は、励起光照射装置７０からの励起光がダイクロイックフィルタ１０５を透過して照射されることによりシアン色蛍光体が励起されて、図７の二点鎖線で示すシアン色波長帯域の蛍光光ＣＦＬが発せられる。
【００４９】
このようにして、図４（ｂ）に示すように、背面側蛍光体層１０４の背面側に基板１０９が位置することとなる。基板１０９は、ダイクロイックフィルタ１０５の径よりも大きい径で形成される。そして、基板１０９には、背面側出射用ダイクロイックフィルタ１０７と円周方向の位置が合わせられて円弧状に穿孔された透光孔部１０９ａが設けられている。
【００５０】
ダイクロイックフィルタ１０５は、ガラス基材等にダイクロイック処理が施されたものである。正面側出射用ダイクロイックフィルタ１０６は、図７の実線１０６ａで示す透過スペクトルを有する。すなわち、正面側出射用ダイクロイックフィルタ１０６は、一点鎖線で示す励起光照射装置７０の青色レーザダイオード７１から出射される青色波長帯域光ＢＬＤ及び背面側蛍光体層１０４から発せられるシアン色波長帯域の蛍光光ＣＦＬを透過し、正面側蛍光体層１０３から発せられる緑色波長帯域の蛍光光ＧＦＬの大部分の波長帯域の光を反射する。
【００５１】
一方、背面側出射用ダイクロイックフィルタ１０７は、図８の実線１０７ａで示す透過スペクトルを有する。すなわち、背面側出射用ダイクロイックフィルタ１０７は、青色波長帯域光ＢＬＤを透過し、シアン色波長帯域の蛍光光ＣＦＬを反射するよう形成されている。
【００５２】
次に、図９に基づいて、蛍光板１０１の作用を説明する。照射スポットＳが正面側出射用ダイクロイックフィルタ１０６の領域（換言すれば、正面側蛍光体層１０３の領域）に位置する場合には、図９（ａ）に示すように、励起光である青色波長帯域光ＢＬＤは、正面側蛍光体層１０３の入射面から入射される。すると、正面側蛍光体層１０３の緑色蛍光体が励起されて、緑色蛍光体から全方位に向けて緑色波長帯域の蛍光光ＧＦＬが発せられる。緑色蛍光体から蛍光板１０１の正面側に発せられた緑色波長帯域の蛍光光ＧＦＬは、そのまま蛍光板１０１の正面側（換言すれば、励起光照射装置７０側）に向けて出射される。緑色蛍光体から蛍光板１０１の背面側に発せられた緑色波長帯域の蛍光光ＧＦＬは、正面側出射用ダイクロイックフィルタ１０６により反射されて、正面側に向けて出射される。
【００５３】
一方、正面側蛍光体層１０３の緑色蛍光体の励起飽和等により、蛍光体の励起に利用されなかった青色波長帯域光ＢＬＤは、正面側出射用ダイクロイックフィルタ１０６を透過して、背面側蛍光体層１０４に照射される。すると、背面側蛍光体層１０４のシアン色蛍光体が励起されて、シアン色蛍光体から全方位に向けてシアン色波長帯域の蛍光光ＣＦＬが発せられる。シアン色蛍光体から蛍光板１０１の正面側に発せられたシアン色波長帯域の蛍光光ＣＦＬは、正面側出射用ダイクロイックフィルタ１０６を透過し、正面側蛍光体層１０３を介して蛍光板１０１の正面側に出射される。シアン色蛍光体から蛍光板１０１の背面側に発せられたシアン色波長帯域の蛍光光ＣＦＬは、基板１０９により反射されて、正面側出射用ダイクロイックフィルタ１０６を透過し、蛍光板１０１の正面側に出射される。
【００５４】
なお、ダイクロイックフィルタ１０５を透過する励起光のうち、背面側蛍光体層１０４のシアン色蛍光体の励起飽和等により蛍光体の励起に利用されなかった励起光は、基板１０９の反射面により反射され、ダイクロイックフィルタ１０５を介して、一部の光束は正面側蛍光体層１０３の緑色蛍光体に照射される。これにより、正面側蛍光体層１０３の緑色蛍光体から緑色波長帯域の蛍光光ＧＦＬが発せられることとなる。
【００５５】
このようにして、緑色波長帯域の蛍光光ＧＦＬとシアン色波長帯域の蛍光光ＣＦＬは、共に蛍光板１０１の正面側から出射される。そして、緑色波長帯域の蛍光光ＧＦＬは、シアン色波長帯域の蛍光光ＣＦＬによって短波長側に色味調整されるので、蛍光板１０１の正面側から出射される光は、色味調整された緑色波長帯域光とされることとなる。
【００５６】
ここで、正面側蛍光体層１０３の緑色蛍光体は、発光される蛍光光が明るくなるよう選定されているため、黄色波長帯域に寄った光分布スペクトルを有する。従って、この緑色蛍光体から発せられる蛍光光がシアン色蛍光体の蛍光光により短波長側に色味調整されるので、自然な緑色に視認される緑色波長帯域光を蛍光板１０１の正面側から出射させることができる。このようにして、蛍光板１０１の正面側に出射された色味調整された緑色波長帯域光は、集光レンズ群１１７により集光され、導光光学系１４０により赤色光源装置１２０からの赤色波長帯域光及び青色波長帯域光と同一光路上に導光される。
【００５７】
一方、照射スポットＳが背面側出射用ダイクロイックフィルタ１０７の領域に位置する場合には、図９（ｂ）に示すように、励起光である青色波長帯域光ＢＬＤは、背面側出射用ダイクロイックフィルタ１０７の入射面から入射される。すると、青色波長帯域光ＢＬＤは、背面側出射用ダイクロイックフィルタ１０７を透過して、背面側蛍光体層１０４に照射される。すると、背面側蛍光体層１０４のシアン色蛍光体が励起されて、シアン色蛍光体からシアン色波長帯域の蛍光光ＣＦＬが全方位に発せられる。蛍光板１０１の背面側に発せられたシアン色波長帯域の蛍光光ＣＦＬは、そのまま背面側に出射される。蛍光板１０１の正面側に発せられたシアン色波長帯域の蛍光光ＣＦＬは、背面側出射用ダイクロイックフィルタ１０７により反射されて、蛍光板１０１の背面側に出射される。
【００５８】
そして、シアン色蛍光体の励起飽和等により、背面側出射用ダイクロイックフィルタ１０７を透過してシアン色蛍光体の励起に利用されなかった青色波長帯域光ＢＬＤは、そのまま蛍光板１０１の背面側に出射される。従って、蛍光板１０１の背面側からは、シアン色波長帯域の蛍光光ＣＦＬと青色波長帯域光ＢＬＤが出射される。すなわち、青色波長帯域光ＢＬＤはシアン色波長帯域の蛍光光ＣＦＬによって、長波長側に色味調整された青色波長帯域光とされる。このようにして、色味調整された青色波長帯域光は、集光レンズ１１５により集光されて、導光光学系１４０により赤色波長帯域光及び緑色波長帯域光と同一光路上に導光される。
【００５９】
さらに、背面側出射用ダイクロイックフィルタ１０７及び背面側蛍光体層１０４を透過する青色波長帯域光ＢＬＤは、励起飽和されたシアン色蛍光体によって拡散される。また、シアン色蛍光体から発光される蛍光光は拡散光である。従って、蛍光板１０１の背面側から出射される青色波長帯域光は、拡散光として出射されることとなる。なお、基板１０９の透光孔部１０９ａに拡散板を設けて、青色波長帯域光ＢＬＤ及びシアン色波長帯域の蛍光光ＣＦＬをさらに拡散させることもできる。
【００６０】
（第２の実施形態）
次に、本発明に係る第２の実施形態について、図１０〜図１２に基づいて説明する。第２の実施形態は、第１の実施形態における蛍光板１０１の正面側蛍光体層１０３を変更してシアン色蛍光体からなる正面側蛍光体層４０３とした。そして、第１の実施形態における背面側蛍光体層１０４を変更して、緑色蛍光体からなる第１背面側蛍光体層４０４ａと、シアン色蛍光体からなる第２背面側蛍光体層４０４ｂとを有する背面側蛍光体層４０４とした。これに伴い、第１の実施形態におけるダイクロイックフィルタ１０５とは異なる構成のダイクロイックフィルタ４０５とした。その他の構成については第１の実施形態と同様であるので、第１の実施形態と同様の構成については説明を省略するか、又は簡略して説明する。
【００６１】
図１０に本実施形態における蛍光板４０１の分解斜視図を示す。円板状のダイクロイックフィルタ４０５の周縁には、正面側蛍光体層４０３が円弧状に設けられている。正面側蛍光体層４０３の正面側は励起光が入射する入射面とされている。ダイクロイックフィルタ４０５は、正面側出射用ダイクロイックフィルタ４０６と背面側出射用ダイクロイックフィルタ４０７からなる。正面側出射用ダイクロイックフィルタ４０６は、正面側蛍光体層４０３と合わせられた円弧状に形成されている。背面側出射用ダイクロイックフィルタ４０７は正面側出射用ダイクロイックフィルタ４０６と連設される円弧状に形成される。背面側出射用ダイクロイックフィルタ４０７は、平面視して正面側出射用ダイクロイックフィルタ４０６と重ならない位置に設けられている。背面側出射用ダイクロイックフィルタ４０７の正面側は励起光が入射する入射面とされている。
【００６２】
ダイクロイックフィルタ４０５の背面側の円周縁には、正面側出射用ダイクロイックフィルタ４０６の背面側と背面側出射用ダイクロイックフィルタ４０７の背面側とに渡って背面側蛍光体層４０４が円環状に設けられている。そして、背面側蛍光体層４０４は、正面側出射用ダイクロイックフィルタ４０６と合わせられた（換言すれば、正面側蛍光体層４０３に対応した）円弧状に形成される第１背面側蛍光体層４０４ａと、背面側出射用ダイクロイックフィルタ４０７と合わせられた円弧状に形成される第２背面側蛍光体層４０４ｂと、からなる。
【００６３】
正面側蛍光体層４０３及び背面側蛍光体層４０４が設けられたダイクロイックフィルタ４０５は、基板１０９に設けられる。そして、基板１０９の透光孔部１０９ａは、背面側出射用ダイクロイックフィルタ４０７（換言すれば、第２背面側蛍光体層４０４ｂ）に周方向の位置が合せられている。
【００６４】
正面側出射用ダイクロイックフィルタ４０６は、図１１の実線４０６ａに示すように、青色波長帯域光ＢＬＤを透過し、シアン色波長帯域の蛍光光ＣＦＬのほぼ全ての波長帯域の光を反射する。さらに、この正面側出射用ダイクロイックフィルタ４０６は、緑色波長帯域の蛍光光ＧＦＬの大部分の波長帯域の光も透過させる。一方、背面側出射用ダイクロイックフィルタ４０７は、図８に示す第１の実施形態における背面側出射用ダイクロイックフィルタ１０７と同じ透過スペクトルを有する。
【００６５】
この蛍光板４０１がモータ１１０の駆動により回転駆動されて、照射スポットＳに励起光である青色波長帯域光ＢＬＤが照射される。そして、照射スポットＳが正面側出射用ダイクロイックフィルタ４０６の領域（すなわち、正面側蛍光体層４０３の領域）に位置する場合には、図１２に示すように、正面側蛍光体層４０３の入射面に入射される励起光により、正面側蛍光体層４０３のシアン色蛍光体が励起され、シアン色波長帯域の蛍光光ＣＦＬが全方位に発光される。シアン色蛍光体から蛍光板４０１の正面側に発光されたシアン色波長帯域の蛍光光ＣＦＬは、そのまま正面側に出射される。シアン色蛍光体から蛍光板４０１の背面側に向けて発光されたシアン色波長帯域の蛍光光ＣＦＬは、正面側出射用ダイクロイックフィルタ４０６により反射されて、蛍光板４０１の正面側に出射される。
【００６６】
一方、正面側蛍光体層４０３のシアン色蛍光体の励起飽和等により正面側出射用ダイクロイックフィルタ４０６を透過した青色波長帯域光ＢＬＤは、第１背面側蛍光体層４０４ａの緑色蛍光体を励起する。緑色蛍光体が励起されると、緑色波長帯域の蛍光光ＧＦＬが全方位に発光される。緑色蛍光体から蛍光板４０１の正面側に向けて発光された緑色波長帯域の蛍光光ＧＦＬは、正面側出射用ダイクロイックフィルタ４０６を透過して、正面側蛍光体層４０３を介して蛍光板４０１の正面側に出射される。緑色蛍光体から蛍光板４０１の背面側に向けて発光された緑色波長帯域の蛍光光ＧＦＬは、基板１０９により反射される。基板１０９により反射された緑色波長帯域の蛍光光ＧＦＬは、正面側出射用ダイクロイックフィルタ４０６を透過して、正面側蛍光体層４０３を介して蛍光板４０１の正面側に出射される。
【００６７】
なお、ダイクロイックフィルタ４０５を透過する励起光のうち、第１背面側蛍光体層４０４ａの緑色蛍光体の励起飽和等により蛍光体の励起に利用されなかった励起光は、基板１０９の反射面により反射され、ダイクロイックフィルタ４０５を介して、一部の光束は正面側蛍光体層４０３のシアン色蛍光体に照射される。これにより、正面側蛍光体層４０３のシアン色蛍光体からシアン色波長帯域の蛍光光ＧＦＬが発せられることとなる。
【００６８】
また、照射スポットＳが背面側出射用ダイクロイックフィルタ４０７の領域に位置する場合には、図９（ｂ）に示す背面側出射用ダイクロイックフィルタ１０７の作用と同様となるので、説明は省略する。
【００６９】
このようにして、照射スポットＳが正面側出射用ダイクロイックフィルタ４０６（換言すれば、正面側蛍光体層４０３）の領域に位置する場合には、蛍光板４０１からは、シアン色波長帯域の蛍光光ＣＦＬと緑色波長帯域の蛍光光ＧＦＬが共に出射される。この場合、例えば正面側蛍光体層４０３のシアン色蛍光体の含有量を第１背面側蛍光体層４０４ａの緑色蛍光体の含有量よりも少なくする等して調整しておけば、蛍光板４０１から出射される光は、色味調整された緑色波長帯域光とすることができる。または、例えば正面側蛍光体層４０３のシアン色蛍光体の含有量を第１背面側蛍光体層４０４ａの緑色蛍光体の含有量と同等以上のものとしておけば、蛍光板４０１から出射される光は、色味調整されたシアン色波長帯域光とすることができる。
【００７０】
なお、背面側出射用ダイクロイックフィルタ４０７の透過スペクトルは、第１の実施形態の背面側出射用ダイクロイックフィルタ１０７と同様のものとしたが、背面側出射用ダイクロイックフィルタ４０７を排して正面側出射用ダイクロイックフィルタ４０６を円板状に形成してもよい。
【００７１】
（第３の実施形態）
次に、第３の実施形態について図１３及び図１４に基づいて説明する。本実施形態における投影装置５０の光源装置６５は、第１の実施形態において蛍光ホイールとされる蛍光板１０１を有する蛍光板装置１００を変更し、固定プレートとされる蛍光板５０１を有する蛍光板装置５００としたものである。そして、青色光源としての青色光源装置３００を別途設けたものである。従って、これら以外の構成は第１の実施形態と同様であるので、同じ部材、箇所には同じ符号を付して、その説明は省略又は簡略して説明する。
【００７２】
図１３において、投影側光学系２２０の直近で正面パネル１２の内側に設ける青色光源装置３００は、青色光源３０１を備える。青色光源３０１は、半導体発光素子としての青色発光ダイオードである。そして、青色光源装置３００は、青色光源３０１から出射される青色波長帯域光を集光する集光レンズ群３０５を備え、青色波長帯域光を背面パネル１３側に出射する。
【００７３】
励起光照射装置７０は、第１の実施形態と同様に、青色レーザダイオード７１を４個並べて構成されたものである。青色レーザダイオード７１からの出射光は、背面側から正面側に向けて出射され、集光レンズ７８で集光される。そして、集光レンズ７８から出射される励起光照射装置７０からの励起光は、第一ダイクロイックミラー１４１を介して蛍光板装置５００に照射される。
【００７４】
蛍光板装置５００は、蛍光板５０１と、蛍光板５０１が載置されるヒートシンク５１０と、蛍光板５０１に照射される励起光及び蛍光板５０１から出射される光を集光する集光レンズ群５０７からなる。ヒートシンク５１０は、蛍光板装置５００と正面パネル１２との間に設けられた冷却ファン２６１により冷却される。従って、ヒートシンク５１０により、蛍光板５０１が冷却される。
【００７５】
図１４（ａ）に、蛍光板５０１の構成を示す。蛍光板５０１は、蛍光板５０１の正面側（換言すれば、励起光照射装置７０側）に、正面側蛍光体層５０３が設けられる。正面側蛍光体層５０３の正面側は励起光照射装置７０からの励起光が入射される入射面とされている。正面側蛍光体層５０３の背面側には、正面側出射用ダイクロイックフィルタ５０６が設けられている。そして、正面側出射用ダイクロイックフィルタ５０６の背面側には、背面側蛍光体層５０４が設けられている。
【００７６】
さらに、背面側蛍光体層５０４の背面側には、板状の基板５０９が設けられている。基板５０９は、正面側の面にミラー加工が施され、この面が反射面とされている。
【００７７】
正面側蛍光体層５０３は、緑色蛍光体からなる層が敷設されてなる。一方、背面側蛍光体層５０４は、シアン色蛍光体からなる層が敷設されてなる。そして、正面側出射用ダイクロイックフィルタ５０６は、第１の実施形態における図７に示す透過スペクトルと同様の透過スペクトルを有する。
【００７８】
蛍光板５０１の作用を図１４（ｂ）に基づいて説明する。蛍光板５０１の正面側蛍光体層５０３の入射面に励起光である青色波長帯域光ＢＬＤが入射されると、正面側蛍光体層５０３の緑色蛍光体が励起され、緑色波長帯域の蛍光光ＧＦＬが全方位に発光される。緑色蛍光体から蛍光板５０１の正面側に向かって発せられた緑色波長帯域の蛍光光ＧＦＬは、そのまま正面側に出射される。緑色蛍光体から蛍光板５０１の背面側に向かって発せられた緑色波長帯域の蛍光光ＧＦＬは、正面側出射用ダイクロイックフィルタ５０６により蛍光板５０１の正面側に向けて反射される。
【００７９】
一方、正面側蛍光体層５０３の緑色蛍光体の励起飽和等により蛍光体の励起に利用されずに正面側出射用ダイクロイックフィルタ５０６を透過した青色波長帯域光ＢＬＤは、背面側蛍光体層５０４のシアン色蛍光体を励起する。青色波長帯域光ＢＬＤにより励起されたシアン色蛍光体からは、シアン色波長帯域の蛍光光ＣＦＬが全方位に発せられる。シアン色蛍光体から蛍光板５０１の正面側に向けて発せられたシアン色波長帯域の蛍光光ＣＦＬは、正面側出射用ダイクロイックフィルタ５０６を透過して、正面側蛍光体層５０３を介して蛍光板５０１の正面側に出射される。シアン色蛍光体から蛍光板５０１の背面側に向けて発せられたシアン色波長帯域の蛍光光ＣＦＬは、基板５０９により蛍光板５０１の正面側に向けて反射され、正面側出射用ダイクロイックフィルタ５０６を透過して、正面側蛍光体層５０３を介して蛍光板５０１の正面側に出射される。
【００８０】
このようにして、蛍光板５０１に励起光が照射されると、緑色波長帯域の蛍光光ＧＦＬとシアン色波長帯域の蛍光光ＣＦＬが共に出射される。従って、蛍光板５０１から出射される光は、短波長側に色味調整された緑色波長帯域光として出射され、導光光学系１４０により赤色及び青色波長帯域光と同一の光路上に導光される。
【００８１】
なお、本実施の形態においても、第２の実施形態と同様に、正面側蛍光体層５０３の蛍光体をシアン色蛍光体とし、背面側蛍光体層５０４の蛍光体を緑色蛍光体とし、正面側出射用ダイクロイックフィルタ５０６の透過スペクトルを図１０で示すものとすることができる。また、本実施の形態における正面側蛍光体層５０３及び背面側蛍光体層５０４の蛍光体層は、セラミック系のバインダ等により形成された耐熱性を有する蛍光体プレートを用いればより好適である。
【００８２】
以上、本発明の実施形態によれば、蛍光板１０１，４０１，５０１の正面側出射用ダイクロイックフィルタ１０６，４０６，５０６の正面側に、励起光照射装置７０からの励起光が入射される入射面を有し、所定波長帯域の蛍光光が発せられる蛍光体を有する正面側蛍光体層１０３，４０３，５０３を設け、正面側出射用ダイクロイックフィルタ１０６，４０６，５０６の背面側に、正面側蛍光体層１０３，４０３，５０３から発せられる蛍光光と異なる波長帯域の蛍光光が発せられる背面側蛍光体層１０４，４０４，５０４とを設けた。さらに、背面側蛍光体層１０４，５０４，５０４の背面側に、基板１０９，５０９を設けた。
【００８３】
これにより、正面側蛍光体層１０３，４０３，５０３と背面側蛍光体層１０４，４０４，５０４から発せられる蛍光光の波長帯域を異ならせて、２つの波長帯域の蛍光光を蛍光板１０１，４０１，５０１から出射させることができる。従って、一方の蛍光光により他方の蛍光光の色味調整を行うことができる。
【００８４】
さらに、正面側出射用ダイクロイックフィルタ１０６，４０６，５０６を設けることにより、正面側蛍光体層１０３，４０３，５０３からの蛍光光を正面側に反射させることができるので、正面側蛍光体層１０３，４０３，５０３から背面側に発せられた蛍光光が背面側蛍光体層１０４，４０４，５０４に入り込んで消失してしまうことが防止される。従って、正面側蛍光体層１０３，４０３，５０３から発せられる蛍光光を明るい蛍光光とすることができる。
【００８５】
さらに、正面側蛍光体層１０３，４０３，５０３の蛍光体が励起飽和することにより蛍光体の励起に利用されない励起光は、正面側出射用ダイクロイックフィルタ１０６，４０６，５０６を透過して背面側蛍光体層１０４，４０４，５０４の蛍光体を励起する。従って、励起光照射装置７０から出射される励起光の利用効率を向上させることができる。
【００８６】
また、蛍光板１０１，４０１は、蛍光ホイールとして構成することができる。これにより、蛍光体からの蛍光光を明るくするために励起光の光強度を高く設定しても、正面側蛍光体層１０３，４０３や背面側蛍光体層１０４，４０４における蛍光体の焼き付きを容易に防止することができる。
【００８７】
また、正面側蛍光体層１０３，４０３及び正面側出射用ダイクロイックフィルタ１０６，４０６を円弧状に形成し、平面視して正面側出射用ダイクロイックフィルタ１０６，４０６と重ならない位置に背面側出射用ダイクロイックフィルタ１０７，４０７を設け、背面側には、背面側蛍光体層１０４，４０４を円環状に形成して設けた。そして、基板１０９には、背面側出射用ダイクロイックフィルタ１０７に合わせて透光孔部１０９ａを設けた。
【００８８】
これにより、励起光を背面側に出射して光源光として利用できる蛍光板１０１，４０１を有する光源装置を提供することができる。
【００８９】
また、透光孔部１０９ａには、拡散板を設けることもできる。これにより、励起飽和された背面側蛍光体層１０４の蛍光体により拡散される励起光をさらに拡散させることができるとともに、背面側蛍光体層１０４から発せられる蛍光光についても拡散させることができる。
【００９０】
また、正面側蛍光体層１０３，５０３は緑色波長帯域の蛍光光を発する緑色蛍光体からなる層が敷設され、背面側蛍光体層１０４，５０４は、シアン色波長帯域の蛍光光を発するシアン色蛍光体からなる層が敷設されるよう構成した。これにより、正面側から出射される光を色味調整がされた緑色光とすることができる。
【００９１】
また、正面側蛍光体層４０３はシアン色波長帯域の蛍光光を発するシアン色蛍光体からなる層が敷設され、背面側蛍光体層４０４は緑色波長帯域の蛍光光を発する緑色蛍光体からなる層が敷設されるよう構成した。これにより、シアン色波長帯域の蛍光光がより確実に蛍光板４０１の正面側に出射されるので、正面側蛍光体層４０３におけるシアン色蛍光体の含有量を調整することにより、蛍光板４０１から出射される光を色味調整された緑色光とすることもでき、また、色味調整されたシアン色光の光源とすることもできる。
【００９２】
また、励起光源とされる励起光照射装置７０は、青色レーザダイオード７１により構成される。これにより、レーザダイオードから発せられる高強度のレーザ光を励起光として利用することができる。
【００９３】
また、光源装置６０、６５は、赤色波長帯域光が出射される赤色光源装置１２０をさらに有する。これにより、励起光源からの励起光の利用効率を向上し、色味調整も可能とした光源装置６０について三色光源を備えることができる。
【００９４】
また、投影装置１０，５０は、蛍光板装置１００，４００，５００を備える光源装置６０、６５を有する。そして、投影装置１０，５０は、表示素子５１と、投影側光学系２２０及び投影装置制御部を備える。これにより、励起光照射装置７０からの励起光について、無効光を低減して励起光の利用効率を向上することができるとともに、色味調整された光源光により画像を投影することができる投影装置１０，５０を提供することができる。
【００９５】
また、以上説明した実施形態は、例として提示したものであり、発明の範囲を限定することは意図していない。これら新規な実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【００９６】
以下に、本願出願の最初の特許請求の範囲に記載された発明を付記する。
［１］励起光源と、蛍光板と、を有し、
前記蛍光板は、
前記励起光源からの励起光により励起されて所定波長帯域の蛍光光が発せられる蛍光体を有する正面側蛍光体層と、
前記励起光源からの励起光により励起されて、前記正面側蛍光体層から発せられる蛍光光の波長帯域とは異なる波長帯域の蛍光光が発せられる蛍光体を有する背面側蛍光体層と、
前記正面側蛍光体層が正面側に設けられ、前記背面側蛍光体層が背面側に設けられ、前記励起光及び前記背面側蛍光体層から発せられた蛍光光を透過し、前記正面側蛍光体層から発せられた蛍光光を反射する正面側出射用ダイクロイックフィルタと、
前記背面側蛍光体層の背面側に設けられ、正面側に反射面が形成される基板と、
を有することを特徴とする光源装置。
［２］前記蛍光板は、蛍光ホイールであることを特徴とする前記［１］に記載の光源装置。
［３］前記正面側蛍光体層は円弧状に形成され、
前記正面側出射用ダイクロイックフィルタは前記正面側蛍光体層と合わせた円弧状に形成され、
平面視して前記正面側出射用ダイクロイックフィルタと重ならない位置に円弧状に形成され、正面側に前記励起光が入射される入射面を有する背面側出射用ダイクロイックフィルタを有し、
前記背面側蛍光体層は、前記正面側出射用ダイクロイックフィルタの背面側及び前記背面側出射用ダイクロイックフィルタの背面側に渡って円環状に形成され、
前記基板は、前記背面側出射用ダイクロイックフィルタと合わせて円弧状に穿孔された透光孔部を有し、
前記背面側出射用ダイクロイックフィルタは、前記励起光を透過し、前記背面側蛍光体層から発せられた蛍光光を反射することを特徴とする前記［２］に記載の光源装置。
［４］前記透光孔部には、該透光孔部を透過する光を拡散させる拡散板が設けられることを特徴とする前記［３］に記載の光源装置。
［５］前記正面側蛍光体層は、緑色波長帯域の蛍光光を発する緑色蛍光体を有し、
前記背面側蛍光体層は、シアン色波長帯域の蛍光光を発するシアン色蛍光体を有することを特徴とする前記［１］乃至前記［４］に記載の光源装置。
［６］前記正面側蛍光体層は、シアン色波長帯域の蛍光光を発するシアン色蛍光体を有し、
前記背面側蛍光体層は、緑色波長帯域の蛍光光を発する緑色蛍光体を有することを特徴とする前記［１］乃至前記［４］に記載の光源装置。
［７］前記励起光源は、青色波長帯域光を発する青色レーザダイオードからなることを特徴とする前記［１］乃至前記［６］の何れか記載の光源装置。
［８］赤色波長帯域光を出射する赤色光源装置をさらに有することを特徴とする前記［７］に記載の光源装置。
［９］前記［１］乃至前記［８］の何れか記載の光源装置と、
前記光源装置からの光源光が照射され、画像光を形成する表示素子と、
前記表示素子から出射された前記画像光をスクリーンに投影する投影側光学系と、
前記表示素子と、前記光源装置を制御する投影装置制御部と、
を有することを特徴とする投影装置。
【符号の説明】
【００９７】
１０    投影装置                          １１    上面パネル
１２    正面パネル                        １３    背面パネル
１４    右側パネル                        １５    左側パネル
１７    排気孔                            １８    吸気孔
１９    レンズカバー                      ２１    入出力コネクタ部
２２    入出力インターフェース            ２３    画像変換部
２４    表示エンコーダ                    ２５    ビデオＲＡＭ
２６    表示駆動部                        ３１    画像圧縮／伸長部
３２    メモリカード                      ３５    Ｉｒ受信部
３６    Ｉｒ処理部                        ３７    キー／インジケータ部
３８    制御部                            ４１    光源制御回路
４３    冷却ファン駆動制御回路            ４５    レンズモータ
４７    音声処理部                        ４８    スピーカ
５０    投影装置
５１    表示素子                          ６０    光源装置
６５    光源装置                          ７０    励起光照射装置
７１    青色レーザダイオード              ７３    コリメータレンズ
７５    反射ミラー群                      ７６    ミラー基板
７８    集光レンズ                        ８０    緑色光源装置
８１    ヒートシンク
１００    蛍光板装置                      １０１    蛍光板
１０３    正面側蛍光体層                  １０４    背面側蛍光体層
１０５    ダイクロイックフィルタ
１０６    正面側出射用ダイクロイックフィルタ
１０７    背面側出射用ダイクロイックフィルタ
１０９    基板                            １０９ａ  透光孔部
１１０    モータ                          １１２    軸
１１５    集光レンズ                      １１７    集光レンズ群
１２０    赤色光源装置                    １２１    赤色光源
１２５    集光レンズ群                    １３０    ヒートシンク
１４０    導光光学系                      １４１    第一ダイクロイックミラー
１４３    第一反射ミラー                  １４５    第二反射ミラー
１４６    集光レンズ                      １４７    集光レンズ
１４８    第二ダイクロイックミラー        １４９    集光レンズ
１７０    光源側光学系                    １７３    集光レンズ
１７５    ライトトンネル                  １７８    集光レンズ
１８１    光軸変換ミラー
１８３    集光レンズ                      １８５    照射ミラー
１９０    ヒートシンク                    １９５    コンデンサレンズ
２２０    投影側光学系                    ２２５    固定レンズ群
２３５    可動レンズ群                    ２４１    制御回路基板
２６１    冷却ファン                      ３００    青色光源装置
３０１    青色光源                        ３０５    集光レンズ群
４００    蛍光板装置                      ４０１    蛍光板
４０３    正面側蛍光体層                  ４０４    背面側蛍光体層
４０４ａ  第１背面側蛍光体層              ４０４ｂ  第２背面側蛍光体層
４０５    ダイクロイックフィルタ
４０６    正面側出射用ダイクロイックフィルタ
４０７    背面側出射用ダイクロイックフィルタ
５００    蛍光板装置                      ５０１    蛍光板
５０３    正面側蛍光体層                  ５０４    背面側蛍光体層
５０６    正面側出射用ダイクロイックフィルタ
５０７    集光レンズ群                    ５０９    基板
５１０    ヒートシンク
【図１】
2016062012.tif 000003
【図２】
2016062012.tif 000004
【図３】
2016062012.tif 000005
【図４】
2016062012.tif 000006
【図５】
2016062012.tif 000007
【図６】
2016062012.tif 000008
【図７】
2016062012.tif 000009
【図８】
2016062012.tif 000010
【図９】
2016062012.tif 000011
【図１０】
2016062012.tif 000012
【図１１】
2016062012.tif 000013
【図１２】
2016062012.tif 000014
【図１３】
2016062012.tif 000015
【図１４】
2016062012.tif 000016